(57)【要約】【課題】使用者の首部である頸椎部を枕に仰臥して載置した場合、首部の第一頸椎部で折れ、頭部が枕に沈降し顎が挙がる事で気道が折れて狭くならない様に気道を維持する事で閉塞型睡眠時無呼吸症候群になるのを防止することである。【解決手段】頭受け部２の長側面前１０から略中央の部分まで、天面３６から底面３７の途中まで切れ目である、隠しスリット１７を複数入れ、隠しスリット１７は、部位によって切り込み長さ、太さが違う柱状の独立した複数のブロックの集合体とした、閉塞型睡眠時無呼吸症候群を解消する枕とした。【選択図】図１
2022002792.tif 000002
【特許請求の範囲】
【請求項１】
枕１の頭受け部２の長側面前１０から略中央までの天面３６から底面３７の途中まで切れ目である、複数の隠しスリット１７を入れ、天面３６から底面３７の途中まで柱状の独立した複数のブロックの集合体とした事を特徴とした、閉塞型睡眠時無呼吸症候群を解消する、枕。  
【発明の詳細な説明】
【技術分野】
【０００１】
（（０００１）原出願の段落番号）。
本発明は、仰臥して睡眠時に、肥満、高齢者、舌筋の老化、などで口蓋帆で覆われた舌尖が重力で気道に垂れ下がり気道を塞ぐ事で一定時間呼吸が複数回停止する閉塞型睡眠時無呼吸症候郡を防止する枕に関するものである。
【背景技術】
【０００２】
（０００２）
閉塞型睡眠時無呼吸症候群（ＯＳＡＳ）の主な治療は、鼻もしくは鼻と口に樹脂製のマスクをバンドで固定しポンプで加圧した空気を連続して鼻腔から送り込んで気道を陽圧に保ち気道の閉塞を防ぐ、経鼻的持続陽圧呼吸療法（ＣＰＡＰ）と、下顎の歯を上顎の歯を利用して下顎を前に出すマウスピースにより矯正する手段がある。
【０００３】
（０００３）
マウスピースの場合、上歯を支えに下顎骨１５の下歯を口の外方に押し出す事で舌の舌尖２５を引き上げて気道１３に沈下しない様にするものである、しかし図４を用いて説明すれば、舌体部３２は下部で舌骨１４に固着しているのでいくら上部の下顎骨１５を引き上げても、舌体部３２は舌骨１４に固着されているので、引き上げ力は舌骨１４で殺されてしまい、効率よく舌尖２５を引き上げる事ができず舌尖２５は気道から離脱できない、この為医療機関では積極的に治療には勧めていない。
【０００４】
（０００４）
どちらも生きている限り使用しなければならないという事と、前記の「ＣＰＡＰ」の場合、次の様な問題点が使用感としてある、加圧空気送入で腹部膨満感がある。送入された加圧空気で気道や口の中が乾く。気道や口の中の乾きで感染しやすくなる。空気が漏れない様にきつく締め付けるのでマスクのこすれで皮膚がかぶれる。ポンプの音で寝付き難い。ポンプとマスクを硬度のあるプラスチックの空気送風ホースで連結しているので、寝返りが難しい為、腰が痛たくなる、又夜中にトイレに行くたびに前記のＣＰＡＰ装置を脱着しなければならず眠気が覚醒してしまう事が多かった。  
【０００５】
（０００５）
そして病院に経鼻的持続陽圧呼吸療装置「ＣＰＡＰ」のレンタル料を支払はなければならず経済的負担も大きい保険負担率が３割の場合月６０００円である、これに毎月病院の診療費が別途必要。
どちらも肉体的に多少の苦痛を伴う、前記の使用感があるので必要であっても使用に踏み切れない人も多い。
【０００６】
（０００６）
この改善策として横寝すると気道１３が舌尖の下ではなく横になるので、舌尖２５が重力で気道１３に垂れないので防止される、その様な枕も有るが、一晩中横を向いて寝る事は難しく無意識の内に仰臥している、この為、横寝の効果が持続し難い等の問題点がある。
【０００７】
（０００７）
特許文献１  実登  ３１５５５１７は、枕を肩に近い部分である、頚椎部分を支持する部分と後頭部を支持する、前と後に二分し、後の頭部支持箇所を頚椎部支持箇所より硬度のある素材で形成し、頭部支持箇所より頚椎部支持箇所を柔らかい素材で形成して、頚椎部支持箇所が後頭部支持箇所より沈下する様にしている、一層で、頭を受ける面が前後で２つの硬度からなる枕である。頭部を受ける面の枕の後側部分を硬度の有る素材で形成しているので、頭が有効に保持されるまで沈下せず、頭がしっかりと枕で把持されず寝にくかった。
特許文献２  特願平５−３４１９８９は、二つの山部と、山部間に形成された凹部を有する軟質合成樹脂発泡体からなる枕であり、二つの山部と山部間に形成された凹部を有する軟質合成樹脂発泡体からなる枕芯材と、凹部に設置するゲル状物を充填してなる袋状体と、これらを包む袋体から成っている。
特許文献３  実用新案登録第３１５５５１７は、頸部支持箇所に該当する基部１１と、後頭部支持個所となる先部１２とし基部１１（頸椎部側）を相対的に硬質にし、先部１２（頭部側）を相対的に軟質にし、使用時には先部（頭側）が基部（頸椎部）より沈下する事が特徴の枕であって、後頭部支持個所となる先部１２を、上面部分に多数の左右方向の切り込み溝を設けて、先方傾斜の薄板が積層隣接した形状に形成して変形性を大きくしてなる枕である。
【先行技術文献】
【特許文献】
【０００８】
（０００８）
【特許文献１】（特許文献１）  実登３１５５５１７号
【特許文献２】（特許文献２）  特願平５−３４１９８９
【特許文献３】（特許文献２）  実用新案登録第3155517
【非特許文献】
【０００９】
（０００９）
【非特許文献１】（非特許文献１）睡眠時無呼吸症候群(SAS)の概要と、治療法についての冊子,睡眠時無呼吸症候群の治療,  帝人ファーマ株式会社
【発明の概要】
【発明が解決しようとする課題】
【００１０】
（００１１）
図４〜５を元に説明すると、生まれつき骨格が小さい人、肥満の人、高齢者は気道１３が狭くなっている事が多く、この様な者が仰向けに寝て、熟睡すると舌体部３２を含む筋肉が弛緩し舌体部３２の口蓋帆６で覆われた舌尖２５が気道１３に垂れ、
【００１１】
首部２９の第一頸椎１９から第七頸椎１２までの７つで湾曲した頸椎を従来の枕の多くが頸椎の湾曲に合わせて、枕に頸椎の湾曲に擬した膨らみである、こぶ状の凸部（図６参照）を設けているが、頸椎の湾曲は、多くの人は頸椎の中央が顔の前側に反りだす前湾曲であるが、前湾曲でも人によって湾曲の度合いが異なる、又後ろに反る後湾曲の人もいる、他にストレートネックと呼ばれる湾曲が無い人もいる、
そしてこれらの症状で有っても肩から飛び出す方向も色々と人さまざまである、（図７参照）この為まくらに設けられた、膨らみであるこぶ状の凸部で首部２９（頸椎部）を支える形になる為、頸椎の先にある頭部３０が枕１に沈降する事で、第一頸椎１９部分で折れ曲がり、寝にくい、肩こり、イビキ、閉塞型睡眠時無呼吸症候群（以下ＯＳＡＳと記載する）の一因となっており、
【００１２】
凸部の湾曲度合いと肩から飛び出す角度が異なる頸椎部からなる首部２９と湾曲度合いが合致しない枕のこぶ状の凸部に第一頸椎１９から第七頸椎１２、からなる頸椎部である首部２９を仰臥すると肩を支点として首部２９は凸部で保持され、椅子に座るなどして、顔が正面を向き、頭頂が天（上方）を向いている場合の姿勢（以下“頭天の姿勢”と記載する）が仰臥した場合、頭部の沈降等で崩れ頸椎の先端の第一頸椎１９と後頭骨２１の間で、前後に動く事が出来る頭部３０は、頭の大きさ、重さと枕の柔軟さ（反発力の違い）によって枕に沈降する量が異なり、頭部３０が深く沈降すると枕の凸部に位置した第一頸椎１９で首部２９は折れ曲がり、頸椎に沿った気道が恰も折れて潰れたホース様に折れて第一頸椎１９近傍の気道１３が狭くなる、
【００１３】
前述の様な“頭天の姿勢”が崩れる枕に仰臥すると狭くなった気道１３に、口蓋帆６で覆われた舌尖２５が重力で気道１３に垂れ、鼻腔２４への気道を閉塞する、舌体部３２と口蓋１１の間の口腔２２は
飲食以外は口蓋帆６で塞がれているので口呼吸しない限り呼吸はできない、人間は鼻呼吸をする動物のため睡眠している場合、鼻腔２４への気道が閉塞すると口腔は通常舌体と口蓋帆で閉塞されているので、鼻呼吸ができなくなるとＯＳＡＳとなっている、又、“頭天の姿勢”に対して頭部３０が後方に傾斜（顎が上がる）したまま、或いは“頭天の姿勢”に対して頭部３０が前方に傾斜（顎が下がる）したままになる事で気道が折れて狭くなり酸素が不足するのを呼吸回数で補う為、呼吸回数が増え、息を強く長く吸うため空気の流速が早くなり鼻から息を吸うと“ベルヌーイの定理”で口腔からも空気を引っ張る為、口蓋の上と下に空気が流れ“カルマン渦”現象で口蓋が振るえ（波打ち）て起きた振動が声帯に伝わりイビキとなっている、又図８の顎が下がると僧帽筋が引き延ばされる、或いは顎が挙がると僧帽筋は収縮する事で緊張し肩こりが発生している。本発明は、仰臥した場合も頭部３０が“頭天の姿勢”を保ち、首部２９で折れる事で気道１３が閉塞し難い枕を提供する事である。
【課題を解決するための手段】
【００１４】
（００１５）
請求項１の発明は、枕１の頭受け部２には、長側面前１０と長側面後１６の略中央から長側面前１０の間の天面３６から底面３７の途中まで切れ目である隠しスリット１７を複数入れ、天面３６から底面３７の途中まで複数の独立した柱状の複数のブロックの集合体とした、隠しスリット１７の切り込み深さを、枕の頭と首の部位によって変える、ブロックの集合体の大きさを変える事で、頭部３０と首部２９の枕への沈降深さをそれぞれコントロールする、
【発明の効果】
【００１５】
（００２５）
頭受け部２の略中央部と長側面前１０の間の天面３６から底面３７の途中まで切れ目である隠しスリット１７を複数入れることで柱状の独立した複数のブロックの集合体となり、頭受け部２の略中央と長側面前１０の間の天面３６から底面３７の途中まで複数の独立したブロックに分割され、枕１個の塊であった反力はブロックの数に分散され、且つ小さい柱状の各ブロックは表面が曲面である首２９で押さえられると、各ブロック柱は曲面をした首２９の面に直角方向な、枕にとっては鉛直で無い方向に押され、横方向の変形も生じ、各ブロック本来の座屈限界荷重に到る以前に座屈が生じてしまう、この横方向のたわみで反力（反発力）は横方向にも分散するので反力は小さくなり首２９、への反力が減少し、枕１による肩こりが解消された。（図１２、図１０参照）又隠しスリット１７は部位によって深さを変える事で反力の強さを調節する。
【００１６】
（００２６）
後頭部２３の部分にも隠しスリット１７を浅く、或いは独立している柱状の径を大きくし沈み込みをコントロールしながら、トランポリン現象の様な、１点を抑えたのに枕全面の反力で頭が押し返される現象を押さえ、枕に沈降した頭部３０と肩３３の中間に位置にある首部２９が頭部３０の沈降の影響を受けても“頭天の姿勢”が崩れない様に隠しスリット１７が使用者の頸椎の形状（湾曲状態）に合わせて頭部３０と肩３３の中間にある首部２９を“頭天の姿勢”となる位置（深さ）まで沈降させる
これにより従来の凸部が有る枕の様に凸部を首の支点にして頭部が枕に沈降するのではなく
凸部がない略フラットな枕に頭部３０が沈降し、沈降した深さに応じて首部２９が追従して沈降し使用者の頸椎の湾曲度合いに応じて沈降するので、常時“頭天の姿勢”を保つので、イビキ、肩こり、ＯＳＡＳが軽減或いは防止できた。
【００１７】
図６を元に従来の頸椎の湾曲に模した膨らみであるこぶ部（凸部）を有する枕の場合、頭部３０と首部２９と肩３３と寝具を見ながら説明すると寝具３８に仰臥するとまず肩３３が寝具３８に沈降し、枕に頭部３０を乗せると、次にこぶ部３４に首部２９が載っかかり、頭部３０がこぶ部３４を乗り超えた部分に載り、膨らんで円状のこぶ部３４は圧縮に強くなって首部２９を支え、次にこぶ部３４を支点にして首部２９の先（７つある頸椎の先端の第一頸椎１９）に恰も釣り竿の先の７ｋｇもある（成人男性の平均重量）頭部３０が７ｋｇ＋αの力のモーメントで枕に沈降すると首部２９は強く枕に引っ張られるがこぶ部３４は円状になっているので沈降しづらい為、首部２９はこぶ部３４にとどまり第一頸椎１９部が折れて後頭部２３が下がり、顎が挙がり頸椎に沿った気道１３が折れて狭くなって高齢などで舌体部３２が軌道に垂れる人は気道が狭くなった事で口蓋帆６の先端の口蓋垂７などが気道側壁１３ｂに当接し気道が閉塞しＯＳＡＳになっているが、
【００１８】
本発明の枕の場合、枕に仰臥していない場合の図４でわかる様に、こぶ部が無い、まず肩３３が寝具に沈降し、次に頭部３０が枕１に乗っかると首部２９が枕に当接し肩部３３と後頭部２３が両支店となり頭部３０が沈降すると柱状の独立した複数のブロックの集合体が首部２９の部位個々の形状に合わせてたわみ座屈する事で、頭天の姿勢の時の頸椎の湾曲度合いのまま頭部３０（後頭部２３）が沈下して行っても頭天の姿勢を保てる所まで首部２９は頭部３０に追従してブロックの集合体に沈降する、この様に頭部の沈降に首部の沈降を追従させる働きをするので枕に仰臥しても頸椎部で気道が折れて狭くならないので、イビキ、ＯＳＡＳが発生しない。
【００１９】
（００３４）  
又、現在一般的な対処療法は病院経由で経鼻的持続陽圧呼吸療器装置（ＣＰＡＰ）がある、機器のレンタル料は、月２０，０００円、だが月1回診察を受けると保険適用となり３割負担の場合６，０００円と診察料１，０００円の費用が必要で年間８４，０００円の医療費となり経済的負担も大きかった、又病院の開院時間に診療を受ける必要があり時間と交通費も負担であった。保険組合の負担は１人年間１６８，０００円にもなり、帝人在宅医療株式会社のホームページによれば潜在患者数は３００万人と云われており、この１０％の人がＣＰＡＰ治療しても保険組合の負担金額は膨大な金額となる。
本発明の場合、たかが枕にスリットを入れただけなので安価にでき、ＣＰＡＰ装置の場合、陽圧の空気を硬いホースの先のマウスを寝ている間鼻に、生きている間装着しなければならなかったが本発明は枕を変えるだけなので夜中のトイレの場合もホースを外したり付けたりする必要がないので睡眠の質もあがる、発症してから２０年生きたとして、社会的治療費は１人５００万円になる、個人負担はこの３割である。
【００２０】
（００３５）
閉塞型睡眠時無呼吸症候群への効果は医療機関での「終夜睡眠ポリグラフィー検査」表１の通り、有効性が明確になった。次の通り、閉塞型睡眠時無呼吸症候群のＡＨＩ指数（無呼吸低呼吸指数）を通常のウレタンフォーム製の枕と本発明のウレタンフォーム製の枕を、比較使用した医療機関での６０代男性の検査結果である。
【００２１】
（００３６）
ＡＨＩ指数は４１．２から１６．９と有為な改善がしめされた。
平均脈拍数／分は３１．３から平均値内である６４に改善された。
最高脈拍数／分は２５５から平均値内である１１１に改善された。本発明の枕の有為効果が示された。  
【００２２】
（００３７）
頭頂部後が下がり、顎３１が上がる従来の枕を使用した場合、舌尖２５で気道１３が狭められ、十分な空気を吸入できなくなっている為、息苦しさを認識でき、必要な酸素を呼吸数で補う為、呼吸が速くなり、呼吸数は１分間に２０回であったが、本発明の枕に仰臥した場合は“頭天の姿勢“の呼吸数と同じ１６回であり、息苦しさもなかった、閉塞型睡眠時無呼吸症候群に有為な効果がある事を確認できた。  
【図面の簡単な説明】
【００２３】
（００３８）
【図１】隠しスリット１７を設けた枕の部分断面透視斜図（ブロック形状２種類を併記）。（原出願  図面番号１２）
【図２】隠しスリット１７を設けた枕の部分断面透視斜図(図１のブロック形状1種類を記載)
【図３】隠しスリット１７を設けた枕の部分断面透視斜図(図１のブロック形状1種類を記載)
【図４】隠しスリット１７の枕と人体、側面図  ＜原出願  図面番号９＞
【図５】隠しスリット１７の枕に人体が仰臥した、側面図
【図６】凸部を持った従来のまくら。
【図７】頸椎の湾曲度の違いを示すX線写真をトレースした図
【図８】骨格と僧帽筋の図である。
【発明を実施するための形態】
【００２４】
（００３９）
以下、図面を参照しながら本発明を実施するための形態について説明する。なお、以下に参照する図面において、同じ符号は同様の構成要素を示す。
【００２５】
（００４２）
図１を元に説明すれば、枕１の頭受け部２の前後の略中央と長側面前１０の間の天面３６から底面３７の途中まで切れ目である隠しスリット１７を複数入れることで柱状で独立した複数のブロックの集合体となり、頭受け部２の略中央と長側面前１０の間の天面３６は複数の独立したブロックに分割され、隠しスリット１７を部位によって深さを変え、独立したブロックの大きさ（径）を変える事で、塊であった反力はブロックの数に分散する、これにより複数の柱状の各ブロックは表面が曲面である首部２９に当ると、各ブロック柱は曲面をした首部２９の面に直角方向であるが、枕にとっては鉛直で無い方向に押され、横方向の変形も生じ、各ブロック本来の座屈限界荷重に到る以前に座屈が生じてしまう、この横方向のたわみで反力（反発力）は横方向にも分散するので反力は小さくなり首部２９は、頭部３０の沈降に応じて“頭天の姿勢”を保持する形態にした。
【実施例】
【００２６】
（００５３）
図１を元に説明すれば、前記頭受け部２の前後の略中央から長側面前１０の、天面３６から底面３７の途中まで切れ目である隠しスリット１７を複数入れることで柱状の独立した複数のブロックの集合体とし、前記頭受け部２の上部が柱状体の独立した複数のブロックの集合体とする事で肩への反力を分散減少させる。隠しスリット１７は部位によって深さを変える或いは独立した複数のブロックの径を変える事で首部２９へ反力を調整し首部２９で気道１３が折れて狭くなるのを防止した。  
【産業上の利用可能性】
【００２７】
（００６１）
医療分野の閉塞型睡眠時無呼吸症候群の改善  
【符号の説明】
【００２８】
（００６２）  
１    枕                        
２    頭受け部          
４    空洞孔                    
５    スリット                
６    口蓋帆
７    口蓋垂                    
８    カバー              
９    内カバー
１０    長側面前              
１１    口蓋              
１２    第七頚椎  
１３  気道    
１４  舌骨
１５  下顎骨
１３ｂ  気道側壁                  
１６  長側面後              
１７  隠しスリット    
１７Ｂ  柱状のブロック        
１９  第一頚椎                
２０  第二頚椎            
２１  後頭骨    
２２  口腔                  
２３  後頭部              
２４  鼻腔
２５  舌尖部                            
２９  首部  
３０  頭部（頭）            
３１  顎                        
３２  舌体部                
３３  肩
３４  こぶ部                                  
３６  天面                                                                    
３７  底面  
３８  寝具                
【図１】
2022002792.tif 000003
【図２】
2022002792.tif 000004
【図３】
2022002792.tif 000005
【図４】
2022002792.tif 000006
【図５】
2022002792.tif 000007
【図６】
2022002792.tif 000008
【図７】
2022002792.tif 000009
【図８】
2022002792.tif 000010